(57)【特許請求の範囲】
【請求項１】
無線機本体の筐体外部へ突出する外部アンテナと、前記筐体内に収容された回路基板と、前記無線機本体へ電源を供給するＡＣラインとを備え、且つ前記回路基板のグランドパターンに別体の雷サージガイド板を設置して、前記外部アンテナが落雷によって受けた雷サージを、前記雷サージガイド板を介して前記ＡＣラインへ流すようにしたことを特徴とする無線受信機等の雷サージ保護装置。
【請求項２】
前記雷サージガイド板を、雷サージを流すのに十分な表面積を有する金属板により形成してなる請求項１記載の無線受信機等の雷サージ保護装置。
【請求項３】
前記雷サージガイド板を、前記回路基板の前記グランドパターンに所定の間隔で半田付けすることにより、前記回路基板に前記雷サージガイド板を固定してなる請求項１または２記載の無線受信機等の雷サージ保護装置。
【請求項４】
前記無線機本体を無線受信機としたことを特徴とする請求項１ないし３の何れか１項記載の無線受信機等の雷サージ保護装置。
【請求項５】
前記無線機本体をラジオとしたことを特徴とする請求項１ないし３の何れか１項記載の無線受信機等の雷サージ保護装置。
【発明の詳細な説明】
【０００１】
【発明の属する技術分野】
本発明は落雷によるサージ電流（雷サージ）より無線機本体を保護する無線受信機等の雷サージ保護装置に関する。
【０００２】
【従来の技術】
従来ラジオなどの無線受信機等では、外部アンテナなどに落雷した場合、雷サージを無線機本体内の回路基板に形成されたグランド（ＧＮＤ）パターンを介してＡＣライン（電源ライン）へ流すことにより、雷サージから無線機本体を保護していた。
【０００３】
【発明が解決しようとする課題】
しかし近年では無線受信機等の性能が向上するのに伴い、回路基板に形成される回路の規模が大きくなり、その結果回路基板に形成されるグランドパターンが縮小されて、雷サージを流すのに十分な容量が得られないため落雷により無線機本体が被害を受ける事故が多発している。
【０００４】
本発明はかかる点に鑑みなされたもので、回路基板とは別体の雷サージガイド板を用いてＡＣラインに雷サージを流すことにより、落雷より無線機本体を保護するようにした無線受信機等の雷サージ保護装置を提供することを目的とするものである。
【０００５】
【課題を解決するための手段】
前記目的を達成するため本発明の無線受信機等の雷サージ保護装置は、無線機本体の筐体外部へ突出する外部アンテナと、筐体内に収容された回路基板と、無線機本体へ電源を供給するＡＣラインとを備え且つ回路基板のグランドパターンに別体の雷サージガイド板を設置して、外部アンテナが落雷によって受けた雷サージを、雷サージガイド板を介してＡＣラインへ流すようにしたものである。
【０００６】
前記構成により、回路基板に形成された回路の規模が大きくなってグランドパターンが縮小され、雷サージを流すのに十分な容量が得られない場合でも、外部アンテナが落雷によって受けた雷サージを、雷サージガイド板を介してＡＣラインへ流すことができるため、雷サージによって無線機本体が破壊されるのを確実に防止することができると共に、回路基板に関係なく雷対策が実施できるため、回路パターンの大規模化が容易な上、回路パターンの引き回し自由度が向上するため、回路基板の設計も容易となる。
【０００７】
また雷対策のために基板の両面に回路パターンを形成する必要がないため、回路基板が安価に得られるようになると共に、グランドパターンの増加によりアンテナ利得の向上も図れるようになる。
【０００８】
前記目的を達成するため本発明の無線受信機等の雷サージ保護装置は、雷サージガイド板を、雷サージを流すのに十分な表面積を有する金属板により形成したものである。
【０００９】
前記構成により、雷サージガイド板を設置したグランドパターンのインピーダンスが低下して雷サージを誘導するため、雷サージによって回路パターンが破壊されるのを確実に防止することができる。
【００１０】
前記目的を達成するため本発明の無線受信機等の雷サージ保護装置は、雷サージガイド板を、回路基板のグランドパターンに所定の間隔で半田付けすることにより、回路基板に雷サージガイド板を固定したものである。
【００１１】
前記構成により、回路基板に対して雷サージガイド板を容易かつ確実に固定することができる。
【００１２】
前記目的を達成するため本発明の無線受信機等の雷サージ保護装置を、無線受信機に設けたものである。
【００１３】
前記構成により、雷対策を実施した無線受信機が容易かつ安価に得られるようになる。
【００１４】
前記目的を達成するため本発明の無線受信機等の雷サージ保護装置を、ラジオに設けたものである。
【００１５】
前記構成により、雷対策を実施したラジオが容易かつ安価に得られるようになる。
【００１６】
【発明の実施の形態】
本発明の実施の形態を図面を参照して詳述する。
【００１７】
図１は無線受信機等の回路基板を示す平面図、図２は作用説明図である。
【００１８】
無線受信機等の無線機本体１には、図示しない筐体内に、受信機能を実現する多数の電子部品等が実装された回路基板２が収容されている。
【００１９】
回路基板２は、例えば紙フェノール基板により形成されていて、周辺部を除くほぼ前面に回路パターン２ａ図上において、具体的パターンは省略したが形成されている。
【００２０】
また筐体の外部に突出するように設けられた外部アンテナ３は、誘導コイル４を介して回路基板２の受信回路に接続されており、誘導コイル４は、グランドパターン２ｂを介して設置した別体の雷サージガイド板５に電気的に接続されている。
【００２１】
雷サージガイド板５は、例えば鉄板などの帯状金属板により形成されていて、雷サージを流すのに十分な表面積を有しており、回路基板２とほぼ直角となるよう下縁部が、ほぼ３０mmの間隔でグランドパターン２ｂに半田付け５ａすることにより、回路基板２に対し固定されている。
【００２２】
一方回路基板２の外部アンテナ３接続側角部と反対側の角部には、ＡＣライン６が接続されている。
【００２３】
ＡＣライン６は無線機本体１に電源を供給するもので、交流の商業電源に接続されていると共に、ＡＣライン６と雷サージガイド板５の間は、雷サージを流すのに十分な容量（幅）を有するグランドパターン２ｂにより電気的に接続されている。
【００２４】
次に前記構成された雷サージ保護装置の作用を図２を参照して説明する。
【００２５】
前記実施の形態では、雷サージガイド板５に幅１０mm、厚さ０．３mmの鉄板を使用し、鉄板の下縁部をほぼ３０mmの間隔でグランドパターン２ｂに半田付けしたものを使用して雷サージに対する保護効果について測定した。
【００２６】
また比較のため、雷サージガイド板５を使用せず、長さ２２０mmのジャンパー線７によりグランドパターン２ｂの外部アンテナ３付近とＡＣライン６付近を接続した場合についても併せて測定した。
【００２７】
測定に当っては、外部アンテナ３に±５、±１０、±１５、±２０の印加電圧を雷サージとして印加し、この雷サージをＡＣライン６へ流すことにより、回路基板２の回路パターン２ａやグランドパターン２ｂが破壊されるかについて測定した。
【００２８】
外部アンテナ３に印加された雷サージは、雷サージガイド板５が半田付けされたことにより低インピーダンスとなったグランドパターン２ｂを、図２の矢印に示すように誘導されてＡＣライン６に達し、ＡＣライン６より商業電源へと放電されるため、下記の表１で示すように各印加電圧においても回路パターン２ａやグランドパターン２ｂに異常は発生しなかった。
【００２９】
一方雷サージガイド板５の代りにジャンパー線７でのグランドパターン２ｂのＡＣライン６付近及び外部アンテナ６付近を接続したものでは、印加電圧が±５では異常が認められなかったが、±１０、を超えると回路パターン２ａやグランドパターン２ｂが破壊されて、雷サージに対する保護効果が得られなかった。
【００３０】
【表１】
0004179739.tif 000002
なお前記実施の形態では、雷サージガイド板５に幅１０mm、厚さ±０．３mmの鉄板を使用したが、この値に限定されないことは勿論で、使用する金属も、鉄板以外の銅やアルミなどの金属であっても勿論よい。
【００３１】
【発明の効果】
本発明は以上詳述したように、無線機本体の筐体内に収容された回路基板のグランドパターンに雷サージガイド板を設置して、外部アンテナが落雷によって受けた雷サージを、雷サージガイド板を介してＡＣラインへ流すようにしたことから、外部アンテナに落雷した際の雷サージによって無線機本体が破壊されるのを確実に防止することができると共に、回路基板に関係なく雷対策が実施できるため、回路パターンの大規模化が容易な上、回路パターンの引き回し自由度が向上するため、回路基板の設計も容易となる。
【００３２】
また雷対策のために基板の両面にグランドパターンを形成する必要がないため、回路基板が安価に得られるようになると共に、グランドパターンの実質的な増加によりアンテナ利得の向上も図れるようになる。
【００３３】
さらに雷サージガイド板を、雷サージを流すのに十分な表面積を有する金属板により形成したことから、雷サージガイド板を設置したグランドパターンのインピーダンスが低下して雷サージを誘導するため、雷サージによって回路パターンが破壊されるのを確実に防止することができると共に、雷サージガイド板を、回路基板のグランドパターンに所定の間隔で半田付けすることにより、回路基板に雷サージガイド板を固定したことから、回路基板に対して雷サージガイド板を容易かつ確実に固定することができる。
【図面の簡単な説明】
【図１】本発明の実施の形態になる雷サージ保護装置を設置した無線受信機等の回路基板を示す平面図
【図２】本発明の実施の形態になる無線受信機等の雷サージ保護装置の作用説明図
【符号の説明】
１    無線機本体
２    回路基板
２ａ  回路パターン
２ｂ，２ｃ  グランドパターン
３    外部アンテナ
４    誘導コイル
５    雷サージガイド板
６    ＡＣライン
７    ジャンパー線
【図１】
0004179739.tif 000003
【図２】
0004179739.tif 000004